(57)【要約】【課題】ネットワーク上の保守作業計画時に停止回線を予め作業計画時点で自動的に正しく抽出できる通信ネットワーク管理装置を提供する。【解決手段】リング構成のネットワークトポロジを持つ通信ネットワークのネットワーク構成と回線の設定状態を予め格納する格納手段と、前記ネットワーク上の保守作業計画を登録する登録手段と、前記登録手段により登録されたネットワーク上の保守作業計画に基づいて前記格納手段に格納されたネットワーク構成と回線の設定状態を参照して登録されたネットワーク上の保守作業に対応して停止する回線を予め判別する判別手段とを備えた。【選択図】図１
2006067454.tif 000002
【特許請求の範囲】
【請求項１】
リング構成のネットワークトポロジを持つ通信ネットワークのネットワーク構成と回線の設定状態を予め格納する格納手段と、
前記ネットワーク上の保守作業計画を登録する登録手段と、
前記登録手段により登録されたネットワーク上の保守作業計画に基づいて前記格納手段に格納されたネットワーク構成と回線の設定状態を参照して登録されたネットワーク上の保守作業に対応して停止する回線を予め判別する判別手段と
を備えた通信ネットワーク管理装置。
【請求項２】
請求項１に記載の通信ネットワーク管理装置において、
前記登録手段は、ネットワーク上の保守作業計画として、リングを構成するノード装置の保守作業計画を登録し、
前記判別手段は、ノード装置の保守作業に対応して停止する回線を予め判別する
ことを特徴とする通信ネットワーク管理装置。
【請求項３】
請求項１に記載の通信ネットワーク管理装置において、
前記登録手段は、ネットワーク上の保守作業計画として、ノード装置間のケーブルの保守作業計画を登録し、
前記判別手段は、ケーブルの保守作業に対応して停止する回線を予め判別する
ことを特徴とする通信ネットワーク管理装置。
【請求項４】
請求項１に記載の通信ネットワーク管理装置において、
前記登録手段は、ネットワーク上の保守作業計画として、ノード装置及びケーブルの保守作業計画を登録し、
前記判別手段は、ノード装置及びケーブルの保守作業に対応して停止する回線を予め判別する
ことを特徴とする通信ネットワーク管理装置。
【請求項５】
請求項１ないし４のいずれか１項に記載の通信ネットワーク管理装置において、
前記通信ネットワーク上でリングを構成するノード装置にそれぞれ接続された端末に、障害発生時にアラームを通知するアラーム通知手段を備え、
前記判別手段は、前記アラームの受信に基づいて障害発生中に停止する回線を予め判別する
ことを特徴とする通信ネットワーク管理装置。
【請求項６】
請求項５に記載の通信ネットワーク管理装置において、
前記判別手段は、障害発生時及び保守作業時にリング構成の右回り、左回りを識別して停止回線を判別する
ことを特徴とする通信ネットワーク管理装置。
【発明の詳細な説明】
【技術分野】
【０００１】
この発明は、リング（ループ）構成のネットワークトポロジを持つ通信ネットワークにおいて、ノード装置及びケーブル等のネットワーク上の保守作業時に停止する回線を予め抽出する機能を備えた通信ネットワーク管理装置に関するものである。
【背景技術】
【０００２】
リング（ループ）構成のネットワーク構成を持つ通信ネットワークには、ＳＤＨ／ＳＯＮＥＴのＵＰＳＲ／ＢＬＳＲ方式、レイヤ２のＲＰＲ方式、ブリッジのスパニングツリー方式等がある。いずれの方式もリング（ループ）上の２つのノード装置間での２ルート伝送制御方式に関するものであり、右回り・左回りのいずれか片ルートで障害が発生しても、他ルートで通信を継続することができる。すなわち、ある隣接ノード装置間のケーブルのみを保守作業のために取り外しても、リング（ループ）上の任意の２ノード装置間では、他ルートで通信を継続することができるため、停止する回線はない。
【０００３】
従来の通信ネットワーク管理装置は、作業または障害によって障害影響装置／回線情報または作業影響装置／回線情報を抽出する手段を用いたネットワーク管理装置はあるが（例えば、特許文献１参照）、リング（ループ）構成の通信ネットワークに関する具体的な解決方法は言及されていない。
【０００４】
また、予め計画された工事、試験、保守、停電等のイベントにより発生する障害と、通常の障害を区別できるようにし、保守者の無駄な作業を防止するネットワーク管理装置はあるが（例えば、特許文献２参照）、リング（ループ）構成の通信ネットワークに関する具体的な解決方法は言及されていない。
【０００５】
また、実保守作業時の障害警報の監視を正確に行えるネットワーク保守管理方法及び装置として、保守作業時によって影響を受けて各装置から発生される障害警報をシミュレーションによって求める方法及び装置があるが（例えば、特許文献３参照）、リング（ループ）構成の通信ネットワークに関する具体的なシミュレーション方法は言及されていない。
【０００６】
さらに、ループ型ネットワークの保守で、ネットワークでの２箇所切断によるループ分断を回避するため、停止予定情報により２箇所切断に至るかどうか予め判定を行うデータ通信装置はあるが（例えば、特許文献４参照）、具体的に停止する回線を予め判定する方法は言及されていない。
【０００７】
【特許文献１】特開平３−１６９１２８号公報
【特許文献２】特開平５−３２７８７６号公報
【特許文献３】特開２００２−２２３２９３号公報
【特許文献４】特開２０００−２９５２６０号公報
【発明の開示】
【発明が解決しようとする課題】
【０００８】
従来の通信ネットワーク管理装置は、上述したように、リング（ループ）構成の通信ネットワークでの作業時に停止する回線を予め簡易にかつ正しく抽出する手段が無かった。このため、正しい停止回線を自動的に抽出することができず、通信ネットワークの運用者及び保守者がリング構成の通信ネットワークのネットワークトポロジを考慮して停止回線を推定する必要があった。
【０００９】
この発明は上記のような課題を解決するためになされたものであり、ネットワーク上の保守作業計画時に停止回線を予め作業計画時点で自動的に正しく抽出できる通信ネットワーク管理装置を提供することを目的とする。
【課題を解決するための手段】
【００１０】
この発明に係る通信ネットワーク管理装置は、リング構成のネットワークトポロジを持つ通信ネットワークのネットワーク構成と回線の設定状態を予め格納する格納手段と、前記ネットワーク上の保守作業計画を登録する登録手段と、前記登録手段により登録されたネットワーク上の保守作業計画に基づいて前記格納手段に格納されたネットワーク構成と回線の設定状態を参照して登録されたネットワーク上の保守作業に対応して停止する回線を予め判別する判別手段とを備えたものである。
【発明の効果】
【００１１】
この発明によれば、登録手段により登録されたネットワーク上の保守作業計画に基づいて格納手段に格納されたネットワーク構成と回線の設定状態を参照して登録されたネットワーク上の保守作業に対応して停止する回線を予め判別することができる。
【発明を実施するための最良の形態】
【００１２】
実施の形態１．
図１は、この発明の実施の形態１に係る通信ネットワーク管理装置を説明するもので、ノード装置と、端末、及び監視装置としての通信ネットワーク管理装置の接続関係を示すブロック図である。図１において、ノード装置２１〜２６は、物理的もしくは論理的な１つのリング（ループ）を構成している。端末３１〜３６は、それぞれノード装置２１〜２６に接続され、物理的もしくは論理的な１つのリング（ループ）内の特定の通信帯域を使用して相互に通信を行っている。
【００１３】
そして、ノード装置２１と２２との間にはケーブル２１２が、ノード装置２２と２３との間にはケーブル２２３が、ノード装置２３と２４との間にはケーブル２３４が、ノード装置２４と２５との間にはケーブル２４５が、ノード装置２５と２６との間にはケーブル２５６が、ノード装置２６と２１との間にはケーブル２６１がそれぞれ設けられている。なお、４１は、運用者を示す。
【００１４】
また、図２は、図１における各端末間に設定される回線を示す図である。図２に示すように、端末３１と端末３２〜３６との間には回線１１２〜１１６が設定され、端末３２と端末３３〜３６との間には回線１２３〜１２６が設定され、端末３３と端末３４〜３６との間には回線１３４〜１３６が設定され、端末３４と端末３５〜３６との間には回線１４５〜１４６が設定され、端末３５と端末３６との間には回線１５６設定されている。
【００１５】
このようなノード装置２１〜２６、端末３１〜３６及びケーブル２１２、２２３、２３４、２４５、２５６、２６１を監視及び管理対象とする監視装置としての通信ネットワーク管理装置１１は、管理対象により構成されるネットワークトポロジ及び通信を行う上で必要な設定情報をデータベースとして格納管理し、監視対象から発生する装置のアラームを受信し、運用者４１が通信ネットワーク全体の稼動状況が把握しやすいよう通知するようになされている。
【００１６】
図３は、通信ネットワーク管理装置１１の内部構成を示すブロック図である。図３に示すように、通信ネットワーク管理装置１１は、リング構成のネットワークトポロジを持つ通信ネットワークのネットワーク構成と回線の設定状態を予め格納する格納手段としてのデータベース１１Ａと、ネットワーク上の保守作業計画を登録する登録手段１１Ｂと、登録手段１１Ｂにより登録されたネットワーク上の保守作業計画に基づいてデータベース１１Ａに格納されたネットワーク構成と回線の設定状態を参照して登録されたネットワーク上の保守作業に対応して停止する回線を予め判別する判別手段１１Ｃと、監視対象から発生する装置のアラームを受信するアラーム受信手段１１Ｄと、運用者４１が通信ネットワーク全体の稼動状況が把握しやすいよう通知するための表示手段１１Ｅとを備えている。
【００１７】
このような構成を備えることにより、運用者４１が通信ネットワーク管理装置１１の登録手段１１Ｂに通信ネットワーク上での保守作業情報を登録すると、通信ネットワーク管理装置１１の判別手段１１Ｃは、データベース１１Ａを参照して作業により停止する回線を自動的に抽出して表示手段１１Ｅに表示する。これにより、運用者４１は、作業開始前に作業により停止する回線を事前に把握することができる。
【００１８】
この実施の形態１では、装置を対象とした作業時に停止する回線を自動的に抽出する機能を有するもので、以下、その動作について説明する。一般的に、ＳＤＨなどのリング（ループ）構成のネットワークトポロジでは、端末間の通信を行う際、右回り・左回りの２つのルートで通信を選択的に行うことができる。ノード装置２１を作業で停止する時、ノード装置２１の配下にある端末３１は、他の端未３２〜３６と通信がリング（ループ）の右回り・左回りいずれでも通信できないことが分かる。よって、ノード装置２１を作業対象とした時に、停止する回線は回線１１２〜１１６となる。これらの停止回線を抽出するために、判別手段１１Ｃは、以下のアルゴリズムを適用する。
【００１９】
ノード装置の番号は、リング構成の右回りを昇順となるよう指定し、ネットワーク構成としてデータベース１１Ａに予め格納される。図４は、データベース１１Ａに格納されるノード装置の番号の割り当て方法を示すものである。すなわち、図４に示すノード装置ＡＢの番号Ａは、ノード装置であることの識別子を示し、番号Ｂは、リング構成の右回りを昇順となるように指定した番号を示す。例えば、図１におけるノード装置２１の上位番号２がノード装置であることの識別子であり、下位番号１がリング構成の右回りを昇順となるように指定した番号である。このため、右回りを昇順とするリング構成は、端末２１→端末２２→端末２３→端末２４→端末２５→端末２６→端末２１として設定され格納される。
【００２０】
回線の番号は、回線１１２〜１１６、１２３〜１２６、１３４〜１３６、１４５〜１４６、１５６のように、始端となるノード装置の番号が終端となるノード装置の番号よりも小さくなるよう指定し、データベース１１Ａに予め格納される。図５は、データベース１１Ａに格納される回線の番号の割り当て方法を示すものである。すなわち、図５に示す回線ＣＤＥの番号Ｃは、回線であることの識別子を示し、番号Ｄは、始端となるノード装置番号（図４に示す番号Ｂに対応）を示し、番号Ｅは、終端となるノード装置番号（図４に示す番号Ｂに対応）を示す。なお、Ｄ＜Ｅとする。例えば、図２における回線番号１１２の上位番号１が回線であることの識別子であり、中位番号１が始端となるノード装置番号（図４に示す番号Ｂに対応：ノード装置２１）であり、下位番号２が終端となるノード装置番号（図４に示す番号Ｂに対応：ノード装置２２）である。すなわち、回線番号１１２は、始端となるノード装置２１と終端となるノード装置２２間の回線として設定され格納される。
【００２１】
判別手段１１Ｃは、ネットワーク構成や回線の設定状態を格納したデータベース１１Ａから、ノード装置が停止したときに、各回線の停止状態が「右回りが停止」、「左回りが停止」、「右回り・左回り両方が停止」のいずれかに相当するかを、停止するノード装置の番号、回線の始端となるノード装置の番号及び回線の終端となるノード装置の番号を用いて、図６に従い決定する。
【００２２】
図６を参照すると、例えば停止するノード装置がノード装置２３であり、回線の始端となるノード装置がノード装置２４であって、回線の終端となるノード装置がノード装置２５である場合に、回線の停止状態は、左回りのみ停止することになり、回線の終端となるノード装置がノード装置２３である場合に、回線の停止状態は、右回り・左回り両方停止することになり、回線の終端となるノード装置がノード装置２２である場合に、回線の停止状態は、存在しないことになる。また、例えば停止するノード装置がノード装置２３であり、回線の始端となるノード装置がノード装置２２であって、回線の終端となるノード装置がノード装置２４である場合に、回線の停止状態は、右回りのみ停止することになり、回線の終端となるノード装置がノード装置２２である場合に、回線の停止状態は、右回り・左回り両方停止することになり、回線の終端となるノード装置がノード装置２１である場合に、回線の停止状態は、左回りのみ停止することになる。
【００２３】
次に、図６に従って、回線１１２〜１１６、１２３〜１２６、１３４〜１３６、１４５〜１４６、１５６の回線の停止状態を展開すると、図７を得る。ノード装置が停止した場合、当該ノード装置によって右回り・左回り両方停止となる回線は停止回線となる。例えば、ノード装置２１が停止したとき、回線１１２−１１６は、右回り、左回り両方停止する停止回線となる。この図７に従って、実際の停止回線の抽出処理は、図８の通り行われる。図８では、ノード装置２１を停止とみなした時、右回り・左回り両方が停止となる回線１１２〜１１６が停止回線として抽出することができたことを示している。
【００２４】
従って、実施の形態１によれば、リング構成のネットワークトポロジを持つ通信ネットワークのネットワーク構成と回線の設定状態をデータベース１１Ａに予め格納し、登録手段１１Ｂに、リングを構成するノード装置の保守作業計画を登録することにより、判別手段１１Ｃにより、登録されたノード装置の保守作業計画に基づいて格納されたネットワーク構成と回線の設定状態を参照して当該保守作業に対応して停止する回線を抽出することができ、作業開始前に停止する回線を事前に把握することができる。
【００２５】
実施の形態２．
前述した実施の形態１では、ネットワーク上の保守作業計画としてノード装置の保守作業計画を登録手段１１Ｂに登録し、ノード装置を保守作業の対象としたときに停止する回線を抽出する実施の形態について述べたが、この実施の形態２では、ネットワーク上の保守作業計画としてケーブルの保守作業計画を登録手段１１Ｂに登録し、ケーブルを保守作業を対象としたときに停止する回線を抽出する実施の形態について述べる。
【００２６】
この実施の形態２においては、実施の形態１と同様に、通信ネットワーク管理装置１１は、ノード装置、端末及びケーブルと、図１に示す接続関係を有し、また、図２に示すように、各端末間に回線が設定されており、さらに、通信ネットワーク管理装置１１の内部構成としては、図３に示す構成を備えている。
【００２７】
以下、ケーブルを作業対象にした時に停止する回線を抽出する実施の形態２に係る動作について説明する。ケーブル２１２が作業により断絶した時、いずれの回線も右回りもしくは左回りの少なくとも片方で通信が可能であるため、通信自体は停止しないことが分かる。判別手段１１Ｃは、ケーブルの断絶による、停止回線の抽出に、以下のアルゴリズムを適用する。
【００２８】
ネットワーク構成や回線の設定状態を格納するデータベース１１Ａから、ケーブルが断絶したときに、回線の停止状態が「右回りが停止」、「左回りが停止」、「右回り・左回り両方が停止」のいずれに相当するかを図７に従って決定する。
【００２９】
図９は、データベース１１Ａに格納されるケーブルの番号の割当方法を示すものである。すなわち、図９に示すケーブルＦＧＨの番号Ｆは、ケーブルであることの識別子を示し、番号Ｇは、始端となるノード装置の番号を示し、番号Ｈは、終端となるノード装置の番号を示す。例えば、図１におけるケーブル２１２の上位番号２がケーブルであることの識別子であり、中位番号１が始端となるノード装置２１の番号１を示し、下位番号２が終端となるノード装置２２の番号２を示す。
【００３０】
ケーブルの番号は、ケーブル２１２、２２３、２３４、２４５、２５６、２６１のように、始端となるノード装置の番号と終端となるノード装置の番号をリング構成の右回りで指定し、データベース１１Ａに格納される。
【００３１】
判別手段１１Ｃは、ネットワーク構成や回線の設定状態を格納したデータベース１１Ａから、ケーブルが停止したときに、各回線の停止状態が「右回りが停止」、「左回りが停止」、「右回り・左回り両方が停止」のいずれに相当するかを、停止するケーブルの番号、回線の始端となるノード装置の番号及び回線の終端となるノード装置の番号を用いて、図１０に従い決定する。
【００３２】
図１０を参照すると、例えば停止するケーブルがケーブル２１２であり、ケーブルの始端となるノード装置がノード装置２１、終端となるノード装置がノード装置２２であって、始端となるノード装置２１の番号１に比べて、回線の終端となるノード装置２２の番号２が、同じかまたは小さい場合に、回線の停止状態は、左回りのみ停止することになる。また、例えば停止するケーブルがケーブル２６１であり、ケーブルの終端となるノード装置がノード装置２１、始端となるノード装置がノード装置２６であって、終端となるノード装置２１の番号１に比べて、回線の始端となるノード装置２６の番号６が、同じかまたは大きい場合に、回線の停止状態は、左回りのみ停止することになる。その他は、右回りのみ停止する。
【００３３】
次に、図１０に従って、回線１１２〜１１６、１２３〜１２６、１３４〜１３６、１４５〜１４６、１５６の回線の停止状態を展開すると、図１１を得る。ケーブルが停止した場合、当該ケーブルによって右回り・左回り両方停止となる回線が停止回線となる。図１０に従って、実際の停止回線の抽出処理は、図１１の通り行われ、図１１に示す例では、右回り・左回り両方が停止となる回線を抽出することができなく、ケーブル２１２が停止した場合、当該ケーブルによって停止となる回線はないことが自動的に判別できる。
【００３４】
従って、実施の形態２によれば、リング構成のネットワークトポロジを持つ通信ネットワークのネットワーク構成と回線の設定状態をデータベース１１Ａに予め格納し、登録手段１１Ｂに、ケーブルの保守作業計画を登録することにより、判別手段１１Ｃにより、登録されたケーブルの保守作業計画に基づいて格納されたネットワーク構成と回線の設定状態を参照して当該保守作業に対応して停止する回線を抽出することができ、作業開始前に停止する回線を事前に把握することができる。
【００３５】
実施の形態３．
この実施の形態３では、複数個所のノード装置及びケーブルの保守作業計画を登録手段１１Ｂに登録し、複数個所のノード装置及びケーブルを作業対象にした時に停止する回線を抽出する実施の形態について述べる。
【００３６】
この実施の形態３においては、実施の形態１と同様に、通信ネットワーク管理装置１１は、ノード装置、端末及びケーブルと、図１に示す接続関係を有し、また、図２に示すように、各端末間に回線が設定されており、さらに、通信ネットワーク管理装置１１の内部構成としては、図３に示す構成を備えている。
【００３７】
以下、複数個所のノード装置及びケーブルを作業対象にした時に停止する回線を抽出する実施の形態３に係る動作について説明する。リング（ループ）構成のネットワークトポロジでは、端末間の通信を行う際、右回り・左回りの２つのルートで通信を選択的に行うことができる。図１及び図２から、例えばノード装置２１及びケーブル２３４を作業で停止する時、回線１１２〜１１６、１２４〜１２６、１３４〜１３６が停止することが分かる。判別手段１１Ｃは、これらの停止回線を自動的に抽出するために、以下のアルゴリズムを適用する。
【００３８】
ノード装置の停止については図６、ケーブルの断絶については図１０に従って、ノード装置２１及びケーブル２３４を作業で停止する場合の回線の停止状態として図１２を得る。図１２より、ノード装置２１及びケーブル２３４による回線の停止状態が、
・「両方」停止となる回線と、
・「左回り」と「右回り」とが同時に停止となる回線
を、停止回線として抽出することで、複数個所のノード装置及びケーブルの作業時の停止回線を自動的に抽出することができる。図１２より、上記を満たす回線は、両方停止となる回線１１２〜１１６、「左回り」と「右回り」とが同時に停止となる回線１２４〜１２６及び１３４〜１３６となり、停止回線を正しく抽出することができる。
【００３９】
従って、実施の形態３によれば、リング構成のネットワークトポロジを持つ通信ネットワークのネットワーク構成と回線の設定状態をデータベース１１Ａに予め格納し、登録手段１１Ｂに、ノード装置及びケーブルの保守作業計画を登録することにより、判別手段１１Ｃにより、登録されたノード装置及びケーブルの保守作業計画に基づいて格納されたネットワーク構成と回線の設定状態を参照して当該保守作業に対応して停止する回線を抽出することができ、作業開始前に停止する回線を事前に把握することができる。
【００４０】
実施の形態４．
この実施の形態４では、障害発生中、他の個所のノード装置及びケーブルの保守作業時に停止する回線を抽出する実施の形態について述べる。
【００４１】
この実施の形態４においては、実施の形態１と同様に、通信ネットワーク管理装置１１は、ノード装置、端末及びケーブルと、図１に示す接続関係を有し、また、図２に示すように、各端末間に回線が設定されており、さらに、通信ネットワーク管理装置１１の内部構成としては、図３に示す構成を備えている。また、通信ネットワーク上でリングを構成する各ノード装置にそれぞれ接続された端末には、障害発生時にアラームを通知するアラーム通知手段が内蔵され、図３に示すアラーム受信手段１１Ｄは、端末からのアラームを受信して判別手段１１Ｃに通知し、判別手段１１Ｃは、アラームの受信に基づいて障害発生中に停止する回線を予め判別するようになされている。
【００４２】
以下、障害発生中、他の個所のノード装置及びケーブルの保守作業時に停止する回線を抽出する実施の形態４に係る動作について説明する。リング（ループ）構成のネットワークトポロジでは、端末間の通信を行う際、右回り・左回りの２つのルートで通信を選択的に行うことができる。図１及び図２から、例えばノード装置２１が故障により停止中に、ケーブル２３４を作業で停止する時、回線１１２〜１１６、１２４〜１２６、１３４〜１３６が停止することが分かる。判別手段１１Ｃは、これらの停止回線を自動的に抽出するために、以下のアルゴリズムを適用する。
【００４３】
ノード装置２１の停止については、障害発生時の停止回線についても図６に従って、ケーブル２３４の保守作業により停止する回線については図１０に従って、ノード装置２１及びケーブル２３４を作業で停止する場合の回線の停止状態を、図１２から得ることができる。
【００４４】
図１２より、ノード装置２１、ケーブル２３４による回線の停止状態が、
・「両方」停止となる回線と、
・「左回り」と「右回り」が同時に停止となる回線と
を、停止回線として抽出することで、複数個所のノード装置及びケーブルの作業時の停止回線を自動的に抽出することができる。図１２より、上記を満たす回線は、回線１１２〜１１６、１２４〜１２６、１３４〜１３６となり、予め正しく抽出することができる。
【００４５】
従って、実施の形態４によれば、通信ネットワーク上でリングを構成するノード装置にそれぞれ接続された端末に、障害発生時にアラームを通知するアラーム通知手段を備え、判別手段１１Ｃにより、アラームの受信に基づいて障害発生中に停止する回線を予め判別することにより、障害発生時に保守作業に対応して停止する回線を予め抽出することができ、作業開始前に停止する回線を事前に把握することができる。
【００４６】
実施の形態５．
この実施の形態５では、判別手段１１Ｃにより、障害発生時及び保守作業時にリング構成の右回り、左回りを識別して作業開始前に作業により停止する回線を事前に把握する実施の形態について述べる。
【００４７】
この実施の形態５においては、実施の形態１と同様に、通信ネットワーク管理装置１１は、ノード装置、端末及びケーブルと、図１に示す接続関係を有し、また、図２に示すように、各端末間に回線が設定されており、さらに、通信ネットワーク管理装置１１の内部構成としては、図３に示す構成を備えている。また、実施の形態４と同様に、通信ネットワーク上でリングを構成する各ノード装置にそれぞれ接続された端末には、障害発生時にアラームを通知するアラーム通知手段が内蔵され、図３に示すアラーム受信手段１１Ｄは、端末からのアラームを受信して判別手段１１Ｃに通知し、判別手段１１Ｃは、アラームの受信に基づいて障害発生中に停止する回線を予め判別するようになされており、障害発生時及び保守作業時にリング構成の右回り、左回りを識別して作業開始前に作業により停止する回線を事前に把握する。
【００４８】
次に動作について説明する。リング（ループ）構成のネットワークトポロジでは、端末間の通信を行う際、右回り・左回りの２つのルートで通信を選択的に行うことができる。図１及び図２から、ノード装置２１が障害発生時及び保守作業時に、回線１１２〜１１６の右回り・左回り両方停止と、回線１２３〜１２６、１３４〜１３６、１４５〜１４６、１５６の左回りの停止が生じることが分かる。判別手段１１Ｃは、これらの停止回線を自動的に抽出するために、以下のアルゴリズムを適用する。
【００４９】
ノード装置の停止については、図６に従って、回線の停止状態として図１２を得る。
図１２より、ノード装置２１の障害発生時及び保守作業時の回線の停止状態が、
・回線１１２〜１１６が右回り・左回り両方停止、
・回線１２３〜１２６、１３４〜１３６、１４５〜１４６、１５６の左回りが停止
となることが容易に抽出でき、障害発生時及び保守作業時にリング構成の右回り・左回りを識別して停止する回線を自動的に正しく抽出することができる。
【００５０】
従って、実施の形態５によれば、障害発生時及び保守作業時にリング構成の右回り、左回りを識別して作業開始前に作業により停止する回線を事前に把握することができる。
【図面の簡単な説明】
【００５１】
【図１】この発明に係る通信ネットワーク管理装置を説明するもので、ノード装置と、端末、及び監視装置としての通信ネットワーク管理装置の接続関係を示すブロック図である。
【図２】図１における各端末間に設定される回線の説明図である。
【図３】図１における通信ネットワーク管理装置１１の内部構成を示すブロック図である。
【図４】この発明の実施の形態１に係るもので、図１のデータベース１１Ａに格納されるノード装置の番号の割り当て方法を示す説明図である。
【図５】この発明の実施の形態１に係るもので、図１のデータベース１１Ａに格納される回線の番号の割り当て方法を示す説明図である。
【図６】この発明の実施の形態１に係るもので、図１の判別手段１１Ｃによるノード装置の停止時における回線の停止状態の決定アルゴリズムを示す説明図である。
【図７】この発明の実施の形態１に係るもので、図６に従ってノード装置の停止時における回線の停止状態を展開した説明図である。
【図８】この発明の実施の形態１に係るもので、図１の判別手段１１Ｃにより図７に従った停止回線の抽出処理を示す説明図である。
【図９】この発明の実施の形態２に係るもので、図１のデータベース１１Ａに格納されるケーブルの番号の割り当て方法を示す説明図である。
【図１０】この発明の実施の形態２に係るもので、図１の判別手段１１Ｃによるケーブルの断絶時における回線の停止状態の決定アルゴリズムを示す説明図である。
【図１１】この発明の実施の形態２に係るもので、図１の判別手段１１Ｃにより図１０に従った停止回線の抽出処理を示す説明図である。
【図１２】この発明の実施の形態３ないし５に係るもので、図１の判別手段１１Ｃにより図１０に従った停止回線の抽出処理を示す説明図である。
【符号の説明】
【００５２】
１１  通信ネットワーク管理装置、１１Ａ  データベース、１１Ｂ  登録手段、１１Ｃ  判別手段、１１Ｄ  アラーム受信手段、１１Ｅ  表示手段、２１〜２６  ノード装置、３１〜３６  端末、４１  運用者、２１２，２２３，２３４，２４５，２５６，２６１  ケーブル、１１２〜１１６，１２３〜１２６，１３４〜１３６，１４５〜１４６，１５６  回線。
【図１】
2006067454.tif 000003
【図２】
2006067454.tif 000004
【図３】
2006067454.tif 000005
【図４】
2006067454.tif 000006
【図５】
2006067454.tif 000007
【図６】
2006067454.tif 000008
【図７】
2006067454.tif 000009
【図８】
2006067454.tif 000010
【図９】
2006067454.tif 000011
【図１０】
2006067454.tif 000012
【図１１】
2006067454.tif 000013
【図１２】
2006067454.tif 000014